(57)【要約】【課題】建築物解体で分別排出された廃木材の有効な利用法を提供する。【解決手段】廃木材や間伐材、製材残材等を小片化した木材チップにし、古紙や結合剤、セラミック基材等と混合したり、加熱或いは水浸させ木材を軟化させ加圧、圧縮、成型した木材ブロックを焼成して、多孔質のセラミックブロックを得る。【特許請求の範囲】
【請求項１】
木材を小片化した木材チップを加圧、圧縮、成型した木材ブロックを焼成してなる、木材を主原料とする多孔質セラミックス。
【請求項２】
木材を小片化した木材チップを、古紙を粉砕して水を加え混ぜスラッジ化した溶液と混合させ、加圧、圧縮、成型し脱水させた木材ブロックを焼成してなる請求項１記載のセラミックス。
【請求項３】
木材を小片化した木材チップと粘土等のセラミック基材と混合させ、加圧、圧縮、成型し脱水させた木材ブロックを焼成してなる請求項１記載のセラミックス。
【請求項４】
木材を小片化した木材ブチップを、粉砕した古紙と粘土等のセラミック基材、水を加えスラッジ化した溶液と混合させ、加圧、圧縮、成型し脱水させた木材ブロックを焼成してなる請求項１記載のセラミックス。
【請求項５】
木材を小片化した木材チップを加熱軟化させた後、加圧、圧縮、成型した木材ブロックを焼成してなる請求項１記載のセラミックス。
【請求項６】
木材を小片化した木材チップに結合剤を混和し、加圧、圧縮、成型した木材ブロックを焼成してなる請求項１記載のセラミックス。
【請求項７】
木材を小片化した木材チップを吸水軟化させた後、加圧、圧縮、成型した木材ブロックを焼成してなる請求項１記載のセラミックス。
【発明の詳細な説明】
【０００１】
【発明の属する技術分野】本発明は主に建設廃材や古紙等の木材系素材を原料とする多孔質のセラミックスを得ることにより、本来殆ど利用価値が無く廃棄されていた木系廃材のリサイクル化に関するものである。
【０００２】
【従来の技術】従来各種の廃木材は、切断して燃料にするか一部リサイクルして柱や梁材として利用したり、木材チップを再生マルチング材としての利用や燃料にするか、間伐材や古紙等は段ボールの素材にする等の他はあまり有効利用されていなかった。
【０００３】
【発明が解決しょうとする課題】しかし、廃木材の処理には次のような課題があった。
【０００４】建設廃棄物は、産業廃棄物全排出量の約２割を占めるといわれ、平成１４年５月３０日からは建設工事に当たっては分別解体と再資源化が義務ずけられた。
【０００５】木造建築物の解体で分別処理される廃木材は、これをチップ化して燃料にするか木質マルチング材として法面の雑草防止に利用したり肥料化したりしていたが、十分活用されてはおらず、不法投棄されたりそのまま不法に燃やされたりする例が多く見られた。
【０００６】また、柱や梁材は切断してそのまま焼成して木炭として利用する例や、この木炭を一部空気や水の浄化に利用されたり建物の床下に入れたりしたが、あまり普及しなかった。
【０００７】本発明の目的は、大量に排出される廃木材や間伐材、製材の残材等の木材チップを成型してセラミックス製造の原材料としてリサイクルし、限られた資源を有効利用することにより前記課題を解決することにある。
【０００８】
【課題を解決するための手段】上述した課題を解決するために、請求項１乃至請求項７のいずれも加圧、圧縮、成型から焼成の工程は同様であるが、請求項１記載の発明は、主原料の小片化した木材チップを加圧、圧縮して最大密度が得られるよう、材種と粒度を調整混合し成型枠に装入する。
【０００９】また、請求項２記載の発明は、粉砕した古紙に水を加えスラッジ化した溶液に木材チップを混合させ成型枠に装入し脱水する。
【００１０】請求項３記載の特許は、木材チップに粘土等のセラミック基材を混合させて成型枠に装入する。
【００１１】さらに、請求項４記載の発明は、粉砕した古紙に粘土等のセラミック基材、水を加えスラッジ化させ、小片化した木材チップを混合させて成型枠に装入し脱水する。
【００１２】請求項５記載の発明は、木材チップを加熱軟化させてから成型枠に装入する。
【００１３】また、請求項６記載の発明は、木材チップに結合材を混合させ成型枠に装入する。
【００１４】さらに、請求項７記載の発明は、木材チップを水に浸し吸水軟化させ成型枠に装入する。
【００１５】
【発明実施の形態】本発明は、多孔質セラミックスの主原料として建物解体で排出される廃木材の他に、間伐材、製材残材等の廃木材を使用する場合の実施の一形態について、図面に基づいて説明する。
【００１６】図１は加圧、圧縮、成型機の側面図であり、図２は一例として矩形平板ブロックを製作する加圧、圧縮、成型機の斜視図である。１は本成型機の基台であり、２は成型型枠でセラミックスブロックの平面形を決めるものであり、３は加圧盤で装入されたセラミック材を圧縮成型するもので、２と３はブロックの平面形を決めるので一対となる。４はセラミック材を圧縮する際放出される水分や空気の放出孔であり、５は成型されたセラミックブロックである。
【００１７】以上、本発明の好適な実施例について説明したが、本発明は前記実施例に限定されることなく、本発明を逸脱しない範囲内において多くの変更が可能である。
【００１８】
【発明の効果】本発明は以上詳述した如く構成したから、下記の諸効果を奏する。効果が期待される。
（１）  建設廃棄物で分別排出される多量の廃木材の他、間伐材や製材残材等を有効活用できる。
（２）  焼成して得られる多孔質のセラミックスは、空気浄化や水の浄化、除湿や消臭の他に遠赤外線発生で健康用にも応用できる。
（３）  セラミックスを構成する炭化状成形体は可燃物として処分できるし廃棄しても環境を汚染することもない。また土壌改良材として再利用することもできる。
【００１８】
【図面の簡単な説明】
【図１】実施例における加圧、圧縮、成型機の側面図である。
【図２】実施例における加圧、圧縮、成型機の斜視図である。
【図３】実施例において製造された平面ブロックの斜視図である。
【符号の説明】
１  基台
２  成型型枠
３  加圧盤
４  放出孔
５  木材チップのブロック
【図１】
2004315339.tif 000002
【図２】
2004315339.tif 000003
【図３】
2004315339.tif 000004
【手続補正書】
【提出日】平成16年3月10日(2004.3.10)
【手続補正１】
【補正対象書類名】明細書
【補正対象項目名】特許請求の範囲
【補正方法】変更
【補正の内容】
【特許請求の範囲】
【請求項１】
木材を小片化した木材チップとおが屑を混練し、加熱、加圧圧縮、成型した木材ブロックを焼成炭化してなる、木材を主原料とする多孔質セラミックス。
【請求項２】
削除
【請求項３】
木材を小片化した木材チップとおが屑に粘土等のセラミック基材を混合させ、加圧圧縮、成型し脱水させた木材ブロックを焼成炭化してなる請求項１記載のセラミックス。
【請求項４】
削除
【請求項５】
削除
【請求項６】
木材を小片化した木材チップとおが屑と結合剤を混練し、加熱、加圧圧縮、成型した木材ブロックを焼成炭化してなる請求項１記載のセラミックス。
【請求項７】
削除
【手続補正２】
【補正対象書類名】明細書
【補正対象項目名】課題を解決するための手段
【補正方法】変更
【補正の内容】
【０００８】上述した課題を解決するために、請求項１、請求項３、請求項６のいずれも加熱、加圧圧縮、成型から焼成炭化の工程は同様であるが、請求項１記載の発明は、主原料の小片化した木材チップにおが屑を混練し、加熱、加圧圧縮して最大密度が得られるよう、材種と粒度を調整混合し成型枠に装入する。
【０００９】削除
【００１０】請求項３記載の特許は、木材チップとおが屑に粘土等のセラミック基材を混合させ成型枠に装入する。
【００１１】削除
【００１２】削除
【００１３】また、請求項６記載の発明は、木材チップとおが屑に結合剤として微粒子状フェノール樹脂を混合させ成型枠に装入する。
【００１４】削除